(57)【要約】      （修正有）【課題】送風機を取り付ける取付台を熱交換器の上端に掛け止めする際、取付台の上部両側から垂下したフランジの下端が熱交換器のフィンとフィンとの間に食い込む虞がない空気調和機の室外機を提供する。【解決手段】本体内に区画された熱交換器室に、平行に並べられた多数のフィンと、同フィンに直交する伝熱管とからなる熱交換器３を設け、同熱交換器に対向して送風機４を取り付ける取付台５を設け、同取付台の上部両側からフランジ１０ｂが垂下され、同フランジに、前記熱交換器の上端が挿通する切欠部１１を設けてなるものにおいて、記フランジの下端部に、前記フィン同士間の隙間よりも幅広に形成された水平状のサブフランジを形成した。【選択図】図１
2011038657.tif 000002
【特許請求の範囲】
【請求項１】
本体内に区画された熱交換器室に、平行に並べられた多数のフィンと、同フィンに直交する伝熱管とからなる熱交換器を設け、同熱交換器に対向して送風機を取り付ける取付台を設け、同取付台の上部両側からフランジが垂下され、同フランジに、前記熱交換器の上端が挿通する切欠部を設けてなるものにおいて、
前記フランジの下端部に、前記フィン同士間の隙間よりも幅広に形成された水平状のサブフランジを形成してなることを特徴とする空気調和機の室外機。
【発明の詳細な説明】
【技術分野】
【０００１】
本発明は、空気調和機の室外機に係わり、より詳細には、送風機を取り付ける取付台の構造に関する。
【背景技術】
【０００２】
従来の空気調和機の室外機には、送風ファンおよびファンモータからなる送風機の取り付けが容易であり、かつ、送風機を取り付ける取付台の加工が容易なものとして、以下のようなものが知られていた。
【０００３】
すなわち、送風機を支持する取付台として、図６に示すように、一対の支持板１５ａおよび１５ｂに分離され、その間に図示しないファンモータが設置されるものであって、一対の支持板１５ａおよび１５ｂは、それぞれが断面コ字状に折り曲げ加工されており、図示しない底板に固定される下端部４１と、図示しないファンモータが固定される取付部４３と、図示しない熱交換器の上端と図示しない天板との間に挟持される上端部４５とから構成され、下端部４１には、図示しない底板に係止される舌片４７が形成されているほか、図示しない底板にねじ止めするねじ孔４９が形成されている。
【０００４】
取付部４３には、図示しないファンモータのフランジに形成された係止孔に引っ掛ける仮止め用爪（フック）５３が切り起こしにより形成されるとともに、図示しないファンモータのフランジをねじ止めするためのねじ孔５５が形成されている。上端部４５にはその左右に延びた位置決片４６が設けられており、この位置決片４６が図示しない熱交換器に当たって支持板１５ａおよび１５ｂの位置が定められるとともに、係止片５７が図示しない熱交換器の上端に掛け止めされている（例えば、特許文献１参照）。
【０００５】
このように構成された支持板１５ａおよび１５ｂは、上端部４５が折り曲げにより一体的に形成されているため、この上端部４５の奥行き寸法が大きいほど金型が大型化してコスト高になってしまうことから、図４および図５に示すように、支持板１５ａおよび１５ｂと、上端部４５とを分割して形成することでコスト低減を図っていた。
【０００６】
しかしながら、図６に示す構成、または、図４および図５に示す構成の何れの場合であっても、係止片５７を熱交換器３の上端部に掛け止めする際、位置決片４６が誤って熱交換器３の上端部を超えてしまうことにより、上面部４５の両側から垂下したフランジ４５ａの下端がフィン３ａとフィン３ａとの間に食い込んで、このフィン３ａに直交する伝熱管３ｂに当接し、これを損傷させてしまう虞があった。
【先行技術文献】
【特許文献】
【０００７】
【特許文献１】特開平９−１９６４１３号公報
【発明の概要】
【発明が解決しようとする課題】
【０００８】
そこで、本発明は上述した課題を解決するためになされたものであって、その目的は、送風機を取り付ける取付台を熱交換器の上端に掛け止めする際、取付台の上部両側から垂下したフランジの下端が熱交換器のフィンとフィンとの間に食い込む虞がない空気調和機の室外機を提供することにある。
【課題を解決するための手段】
【０００９】
上述した目的を達成できるように構成するため、本発明は以下に示す特徴を備えている。
【００１０】
本体内に区画された熱交換器室に、平行に並べられた多数のフィンと、同フィンに直交する伝熱管とからなる熱交換器を設け、同熱交換器に対向して送風機を取り付ける取付台を設け、同取付台の上部両側からフランジが垂下され、同フランジに、前記熱交換器の上端が挿通する切欠部を設けてなるものにおいて、
前記フランジの下端部に、前記フィン同士間の隙間よりも幅広に形成された水平状のサブフランジを形成してなることを特徴としている。
【発明の効果】
【００１１】
本発明によれば、送風機を取り付ける取付台を熱交換器の上端に掛け止めする際、取付台の上部両側から垂下したフランジの下端が熱交換器のフィンとフィンとの間に食い込む虞がない空気調和機の室外機を提供できる。
【図面の簡単な説明】
【００１２】
【図１】本発明による空気調和機の室外機の外胴を取り外した状態を示す斜視図である。
【図２】本発明による空気調和機の室外機の要部説明図で、取付台の上面部を熱交換器の上端部に掛け止めした状態を示す斜視図である。
【図３】本発明による空気調和機の室外機の要部説明図で、取付台の上面部を熱交換器の上端部に掛け止めする状態を示す斜視図である。
【図４】従来例による空気調和機の室外機の要部説明図で、取付台の上面部を熱交換器の上端部に掛け止めした状態を示す斜視図である。
【図５】従来例による空気調和機の室外機の要部説明図で、取付台の上面部を熱交換器の上端部に掛け止めする状態を示す斜視図である。
【図６】従来例による空気調和機の室外機の送風機を支持する取付台の斜視図である。
【発明を実施するための形態】
【００１３】
以下、本発明を実施するための形態を、添付図面に基づいた実施例として詳細に説明する。
【００１４】
本発明による空気調和機の室外機は、図１に示すように、本体１の内部が、底板２上に立設された図示しない仕切板３により熱交換器室と圧縮機室とに区画されている。
【００１５】
本体１の内部に区画された熱交換器室には、本体１の後部から一側部にかけて図示しない空気吸込口を臨ませるように略Ｌ字状に形成された熱交換器３が設置されるとともに、送風機４が配置されることにより、空気吸込口から吸い込まれ熱交換器３を流通した空気が、本体１の前部であって送風機４の前方に設けられた図示しない空気吹出口から外部に吹き出される構成になっている。一方、圧縮機室には図示しない圧縮機が設置された構成になっている。
【００１６】
送風機４は、送風ファン４ａと、これを駆動するファンモータ４ｂとで構成されており、取付台５に取り付けられて熱交換器３に対向するように支持されている。
【００１７】
図２および図３に示すように、熱交換器３は、この熱交換器３を臨ませるように、本体１の後部に設けられた空気吸込口から送風機４によって吸い込まれる空気の流れに対し略平行に、かつ、等間隔に多数並べられたフィン３ａと、このフィン３ａに直交する伝熱管３ｂとで構成されている。
【００１８】
例えば冷房運転時に、伝熱管３ｂの内部を流通する高温・高圧の冷媒は、伝熱管３ｂに圧接されているカラー部を有するフィン３ａに伝熱されるとともに、この伝熱されたフィン３ａが、空気吸込口から吸い込まれた空気によって冷却されることで熱交換されるものである。
【００１９】
送風機４を取り付ける取付台５は、底板２上に取り付けられる取付脚部７と、取付脚部７に下端位置が取り付けられて熱交換器３と平行に立設した二本の支柱８と、この二本の支柱８間に設けられて送風機４を支持する支持部８ａと、二本の支柱８の上端位置に取り付けられ、取付台５の上部を構成して熱交換器３の上端に掛け止めされる掛止部１０とで構成されている。
【００２０】
熱交換器３と平行に立設した二本の支柱８は、下端位置が、下部取付部６でねじ止めされることで取付脚部７に取り付けられており、上端位置が、上部取付部９でねじ止めされることで取付脚部７に取り付けられている。
【００２１】
送風機４を支持する板金製の支持部８ａは、その両側部が二本の支柱８にねじ止め固定されるとともに、ファンモータ４ｂに備えた固定脚部をねじ止め固定しており、これらは何れも熱交換器室の前面側からのねじ止め固定、または取り外しができるようになっている。
【００２２】
取付台５の上部を構成する掛止部１０は、図２および図３に示すように、水平状の上面１０ａと、この上面１０ａの四側から垂下されたフランジ１０ｂと、このフランジ１０ｂの一部が切欠されて熱交換器３の上端を挿通する切欠部１１と、フランジ１０ｂの下端部に折曲形成された水平状のサブフランジ１０ｃとからなる構成になっている。
【００２３】
切欠部１１の奥行き寸法は、熱交換器３の上端の厚さよりも少許大きく形成されることで、この熱交換器３の上端の一部を収容することによって、熱交換器３の上端を横方向に挿通させる構成になっており、これによって、掛止部１０が熱交換器３の上端に掛け止めされることになる。
【００２４】
掛止部１０は、切欠部１１が熱交換器３の上端の一部を収容して、熱交換器３の上端を横方向に挿通させたことで、熱交換器３に対し前後方向に位置ずれしないように掛け止めされることになり、熱交換器３の上端と図示しない天板とによって、高さ方向および横方向に位置ずれしないように挟持されることになる。
【００２５】
その際、上面１０ａの両側から垂下されたフランジ１０ｂおよびサブフランジ１０ｃの後端と、上面１０ａの後端から垂下されたフランジ１０ｂとの間に切欠部１１が形成された構成になっており、この上面１０ａの後端から垂下されたフランジ１０ｂは、熱交換器３上端の後縁に係止される機能を有した係止片１１ａとして形成された構成になっている。
【００２６】
なお、取付台５を構成する二本の支柱８は、断面略コ字状に折曲形成されることにより強度を高めた構成であって、この二本の支柱８間にファンモータ４ｂの固定脚部をねじ止め固定した支持部８ａをねじ止め固定して、熱交換器３に対し少許前方に離間した位置に、熱交換器３と略平行状態に立設している。
【００２７】
これにより、二本の支柱８間は、本体１の後部に設けられた空気吸込口から吸い込まれ熱交換器３を流通した空気を、本体１の前部であって送風機４の前方に設けられた空気吹出口に送出する通風路の一部を構成している。
【００２８】
また、上面１０ａの両側部から垂下されたフランジ１０ｂと、前端から垂下されたフランジ１０ｂには、上部取付部９を構成するねじ止め用の取付孔が設けられており、この取付孔を通したねじを二本の支柱８に設けられたねじ孔にねじ止めすることにより、熱交換器３の上端に掛け止めされた掛止部１０に二本の支柱８が固定されることになる。
【００２９】
掛止部１０および二本の支柱８は夫々が個別に形成されていることにより、これらの金型を大型化させることがないので、これらを一体的に形成する場合に較べて低コストで製作できる。
【００３０】
なお、図１に示す取付脚部７および二本の支柱８についても、同様に個別に形成されていることにより、これらの金型を大型化させることがないので、これらを一体的に形成する場合に較べて低コストで製作できる。
【００３１】
上面１０ａの両側部から垂下されたフランジ１０ｂの下端部には、水平状のサブフランジ１０ｃが連続的に折曲形成されており、この水平状のサブフランジ１０ｃは、等間隔で略平行に多数並べられたフィン３ａとフィン３ａとの間の隙間よりも少許幅広に形成されている。
【００３２】
水平状のサブフランジ１０ｃは、フィン３ａとフィン３ａとの間の隙間よりも幅広に形成されており、仮に、図３に示すような状態で熱交換器３に当接した場合であっても、熱交換器３を構成するフィン３ａとフィン３ａとの間に食い込んでしまうことはなく、したがって、フィン３ａに直交している伝熱管３ｂに当接してこれを損傷させてしまう虞はない。
【００３３】
また、切欠部１１の前端となるフランジ１０ｂおよびサブフランジ１０ｃの後端部は、切欠部１１の前端であって、断面略Ｌ字状に形成されることで熱交換器３の上部前端に当接する構成になっており、これによって、図４乃至図６に示す横方向に延びる当接部４６の機能を兼ねているので、この当接部４６を削除することで取付台５の上部を構成する掛止部１０の構造を簡素化できる。
【００３４】
なお、上面１０ａには、熱交換器３の上部前端に当接するように下方に切り起こされた図示しない切起し片を形成することで、この切起し片と、フランジ１０ｂおよびサブフランジ１０ｃの後端部とを、熱交換器３の上部前端に一緒に当接させるようにして、取付台５の掛止部１０をより正確に、かつ、強固に位置決めできるようにしてもよい。
【００３５】
以上説明したように、本発明の構成によれば、取付台５の掛止部１０を構成する上面１０ａの両側部からフランジ１０ｂが垂下され、このフランジ１０ｂの後部に熱交換器３の上端部が挿通する切欠部１１が形成される一方、フランジ１０ｂの下端部に、水平状のサブフランジ１０ｃが熱交換器３のフィン３ａ同士間の隙間よりも幅広に形成されることで、フランジ１０ｂがその下端からフィン３ａとフィン３ａとの間に食い込まないようになり、このフィン３ａに直交している伝熱管３ｂに当接しないためこれを損傷させてしまう虞がない空気調和機の室外機となる。
【符号の説明】
【００３６】
１  本体
２  底板
３  熱交換器
３ａ  フィン
３ｂ  伝熱管
４  送風機
４ａ  送風ファン
４ｂ  ファンモータ
５  取付台
６  下部取付部
７  取付脚部
８  支柱
８ａ  取付部
９  上部取付部
１０  掛止部
１０ａ  上面
１０ｂ  フランジ
１０ｃ  サブフランジ
１１  切欠部
１１ａ  係止片
【図１】
2011038657.tif 000003
【図２】
2011038657.tif 000004
【図３】
2011038657.tif 000005
【図４】
2011038657.tif 000006
【図５】
2011038657.tif 000007
【図６】
2011038657.tif 000008